(57)【要約】【課題】シート搬送路と対向する位置にアクチュエータを配置したシート検知装置において、アクチュエータの支軸にシートの先端が衝突し、ダメージを受けるのを回避する。【解決手段】アクチュエータ１２には支軸２０が回転可能に軸支されており、支軸２０の両端側に第１の当接部１６が突出して取り付けられ、その間に第２の当接部１８がシート搬送路を遮るように取り付けられている。支軸２０にはねじりコイルバネ２２が巻き付けられており、第１の当接部１６と第２の当接部１８とが前方に回動するように付勢される。シート搬送路を搬送されるシートの先端が第１の当接部１６に衝突すると、第１の当接部１６が後方に回動し、さらにシートの先端が第２の当接部１８に衝突すると、第２の当接部１８が後方に回動する。この第２の当接部１８の回動により、検知部１４でシートの通過が検知される。【選択図】  図１
2004345754.tif 000002
【特許請求の範囲】
【請求項１】
シート搬送路を搬送されるシートに当接し、支軸を中心に回動変位するアクチュエータと、前記アクチュエータの回動変位を検知する検知手段と、を備えたシート検知装置において、
前記アクチュエータは、シートが当接する第１の当接部と第２の当接部とを備え、
前記第１の当接部がシート搬送方向上流側で、前記支軸よりもシート搬送路側に突出して設けられ、
前記第２の当接部がシート搬送方向下流側で、シート搬送路を遮って設けられていることを特徴とするシート検知装置。
【請求項２】
前記第１の当接部は、前記支軸の両側に設けられていることを特徴とする請求項１に記載のシート検知装置。
【請求項３】
前記第１の当接部と前記第２の当接部とは、前記支軸に取り付けられ、シートの当接によって前記支軸と共に回動変位することを特徴とする請求項１又は請求項２に記載のシート検知装置。
【請求項４】
前記第２の当接部と前記第１の当接部とは前記支軸回りに独立して回動変位することを特徴とする請求項１又は請求項２に記載のシート検知装置。
【請求項５】
前記アクチュエータには、前記第２の当接部がシートの当接によって回動変位したときに、前記検知手段に変位を検知させる検知板が設けられたことを特徴とする請求項１から請求項４までのいずれかに記載のシート検知装置。
【請求項６】
前記検知手段が光センサであり、前記検知板が光センサの光路を遮光する遮光板であり、該遮光板を前記第２の当接部にシートが当接し回動したとき、光路を開放あるいは遮光する形状としたことを特徴とする請求項５に記載のシート検知装置。
【請求項７】
内蔵されたヒーターによって加熱される加熱ローラと、
前記加熱ローラにシートを圧接する加圧ローラと、を備え、
前記加熱ローラと前記加圧ローラとで加熱圧接されたシートが剥離搬送されるシート搬送路へ、請求項１乃至請求項６に記載のシート検知装置を設けたことを特徴とする定着装置。
【請求項８】
請求項１乃至請求項６に記載のシート検知装置を備えることを特徴とする画像形成装置。
【発明の詳細な説明】
【０００１】
【発明の属する技術分野】
本発明は、シート搬送路を通過するシートを検知するシート検知装置、このシート検知装置が用いられる定着装置及び画像形成装置に関する。
【０００２】
【従来の技術】
一般に、電子写真方式を採用した複写機、プリンタ等の画像形成装置においては、感光体ドラムの表面を帯電装置によって一様に帯電した後、感光体ドラムの表面に像光を照射して静電潜像を形成し、この静電潜像を現像装置によって現像してトナー像を形成する。そして、用紙やＯＨＰシート等のシートを１枚ずつシート搬送路に搬送し、感光体ドラムとの対向位置でトナー像をシート上に転写した後、このシート上のトナー像を定着装置によって加熱及び加圧して定着させることにより、画像を形成するように構成されている。
【０００３】
このような画像形成装置では、複数の搬送ローラ対によってシートを挟持しながら搬送するシート搬送路の近傍に、シートの有無を検知するシート検知装置が設けられている。
【０００４】
このシート検知装置は、例えば、シートが当接することによって回動するアクチュエータをシートガイドからシート搬送路に臨ませて配置しており、アクチュエータの回動に連動して透過型光センサーの光路を遮蔽又は開放し、シートを検知するものが知られている。
【０００５】
また最近では、装置の小型化が要請されており、シートガイドを省略し、シート搬送路にアクチュエータを直に臨ませる形態が採用されている。
【０００６】
このシート検知装置に用いられるアクチュエータとしては、例えば図１０に示すように、シート搬送路を搬送されるシートが当接する接触部１０２と、この接触部１０２の基部が固定された回動可能な軸部１０４とが設けられている。さらに、軸部１０４にはねじりコイルバネ１０６が巻き付けられており、このねじりコイルバネ１０６の一端は取付部１０３に取り付けられ、他端は軸部１０４が軸支されたアクチュエータ１００のホルダ１０８に取り付けられている。このねじりコイルバネ１０６によって、接触部１０２はシート搬送路に突出する位置へ付勢され、ストッパ１０９により図１０に示す姿勢が維持されている。そして、シート搬送路を搬送されるシートが接触部１０２に当接することにより、接触部１０２が後退する方向に回動するようになっている。さらに、アクチュエータ１００の後方には光透過型センサ１１０が配設されており、接触部１０２の回動に連動して検知板１１１が光透過型センサ１１０の光路を遮蔽又は開放することにより、通過するシートの有無が検知される（例えば特許文献１を参照）。
【０００７】
このようなシート検知装置は、例えば加熱ローラ１１２にシートを圧接させて加熱及び加圧する定着装置と対向する位置に配設されている。
【０００８】
【特許文献１】
特開２００１−３１５９９５号公報
【０００９】
【発明が解決しようとする課題】
しかしながら、上記のようなシート検知装置は、図１１に示すように、周辺のシートガイド１１３が省略され、シート搬送路に直に臨んでいるため、加熱ローラ１１２に沿って搬送されるシート１１４の先端がアクチュエータ１００の軸部１０４及びこの軸部１０４を支持するホルダ１０８に衝突し、ダメージを受けるという不具合がある。
【００１０】
本発明は、上記問題点に鑑みてなされたものであり、アクチュエータの支軸にシートの先端が衝突するのを回避することができるシート検知装置、定着装置及び画像形成装置を提供することを目的とする。
【００１１】
【課題を解決するための手段】
上記問題点を解決するために、請求項１に記載の発明は、シート搬送路を搬送されるシートに当接し、支軸を中心に回動変位するアクチュエータと、前記アクチュエータの回動変位を検知する検知手段と、を備えたシート検知装置において、前記アクチュエータは、シートが当接する第１の当接部と第２の当接部とを備え、前記第１の当接部がシート搬送方向上流側で、前記支軸よりもシート搬送路側に突出して設けられ、前記第２の当接部がシート搬送方向下流側で、シート搬送路を遮って設けられていることを特徴としている。
【００１２】
請求項１に記載のシート検知装置によれば、第１の当接部が支軸よりもシート搬送路側に突出して設けられているので、シート搬送路を搬送されるシートが支軸および軸受に衝突することがない。さらに、第２の当接部がシート搬送路を遮って設けられているので、シートが通過すれば必ず第２の当接部に当接し、アクチュエータが回動変位する。したがって、シートにダメージを与えることなく確実にシートを検知することができる。特に、薄いシートの場合や、小サイズのシートのエッジ付近がアクチュエータにかかる場合に有効である。なぜなら、薄いシートは腰が無く、シート先端の姿勢が定まらないため、支軸および軸受にひっかかりやすい。またシートのエッジ付近はカールや耳折れによって、シート先端が支軸および軸受にひっかかりやすいためである。
【００１３】
また、支軸とシート搬送路との間に別途ガイド部材を介在させる必要が無いので、ガイド部材の削減によりコストダウンと装置の小型化が可能となる。
【００１４】
請求項２に記載の発明に係るシート検知装置は、請求項１に記載の構成において、前記第１の当接部は、前記支軸の両側に設けられていることを特徴としている。
【００１５】
請求項２に記載のシート検知装置によれば、第１の当接部が支軸の両側に設けられているので、シート搬送路を搬送されるシートは支軸の両端部付近で突出した第１の当接部に確実に当接する。このため、シートが支軸及び軸受に衝突するのをより確実に回避できる。
【００１６】
請求項３に記載の発明に係るシート検知装置は、請求項１又は請求項２に記載の構成において、前記第１の当接部と前記第２の当接部とは、前記支軸に取り付けられ、シートの当接によって前記支軸と共に回動変位することを特徴としている。
【００１７】
請求項３に記載のシート検知装置によれば、第１の当接部はシートの先端が当接することによって回動するので、シートの先端が第１の当接部に衝突した後、第１の当接部は回動しながらシートの先端を逃がすように働き、シートの先端にダメージを与えることがない。シートの先端は第１の当接部を通過した後、さらに第２の当接部に衝突し、第２の当接部が回動する。これにより、シートの先端が折れたり、しわになったりするのを防止できる。
【００１８】
請求項４に記載の発明に係るシート検知装置は、請求項１又は請求項２に記載の構成において、前記第２の当接部と前記第１の当接部とは前記支軸回りに独立して回動変位することを特徴としている。
【００１９】
請求項４に記載のシート検知装置によれば、第１の当接部と第２の当接部とが支軸回りに独立して回動変位するので、第１の当接部にシートの先端が衝突すると第１の当接部のみが回動し、第２の当接部は回動しない。そして、シートの先端が第１の当接部を通過した後、第２の当接部に衝突することで、第２の当接部が回動する。このため、第２の当接部の回動変位によってシートの有無を検知する場合に、第１の当接部の回動変位によって誤ってシートが検知されることがなく、誤差のない安定したシートの検知が可能となる。
【００２０】
請求項５に記載の発明に係るシート検知装置は、請求項１乃至請求項４に記載の構成において、前記アクチュエータには、前記第２の当接部がシートの当接によって回動変位したときに、前記検知手段に変位を検知させる検知板が設けられたことを特徴としている。
【００２１】
請求項５に記載のシート検知装置によれば、第２の当接部がシートの当接によって回動したときに検知手段が検出板の変位を検知するようにしたので、第２の当接部よりシート搬送方向上流側に第１の当接部を設けてもシートの検知タイミングがほぼ一定となる。このため、安定したシートの検知が可能となる。
【００２２】
請求項６に記載の発明に係るシート検知装置は、請求項５に記載の構成において、前記検知手段が光センサであり、前記検知板が光センサの光路を遮光する遮光板であり、該遮光板を前記第２の当接部にシートが当接し回動したとき、光路を開放あるいは遮光する形状としたことを特徴としている。
【００２３】
請求項６に記載のシート検知装置によれば、第２の当接部にシートが当接し回転したとき、遮光版が光センサの光路を開放あるいは遮光するので、第２の当接部の回動変位を確実に検知することができる。このため、第２の当接部よりシート搬送方向上流側に第１の当接部を設けてもシートの検知タイミングがほぼ一定となり、安定したシートの検知が可能となる。
【００２４】
請求項７に記載の発明に係る定着装置は、内蔵されたヒーターによって加熱される加熱ローラと、前記加熱ローラにシートを圧接する加圧ローラと、を備え、
前記加熱ローラと前記加圧ローラとで加熱圧接されたシートが剥離搬送されるシート搬送路へ、請求項１乃至請求項６に記載のシート検知装置を設けたことを特徴としている。
【００２５】
請求項７に記載の定着装置によれば、加熱ローラと加圧ローラとで加熱圧接されたシートが剥離搬送されるシート搬送路にアクチュエータを配置した場合でも、シートの先端が支軸及び軸受に衝突するのを防止できる。このため、アクチュエータを加熱ローラ出口に近接して配置することができる。したがって加熱ローラを通過したシートを速やかに検知することができ、シートの巻き付きジャムによるシート燃えを防止することができる。なぜならシートが加熱ローラを通過したのち速やかに検知されれば、シートが加熱ローラ出口でジャムを起したときに、短い時間でジャムと検知でき、加熱ローラを速やかに停止することができるからである。さらに、支軸とシート搬送路との間にガイド部材（シートガイド）を介在させる必要がないので、ガイド部材の削減による定着装置の小型化、省コスト化に寄与できる。
【００２６】
請求項８に記載の発明に係る画像形成装置は、請求項１乃至請求項５に記載のシート検知装置を備えることを特徴としている。
【００２７】
請求項８に記載の画像形成装置によれば、請求項１乃至請求項５に記載のシート検知装置を備えるので、シート搬送路を通過するシートをより確実に検知することができ、ジャムを速やかに検知して画像形成装置の作動を停止することができる。
【００２８】
【発明の実施の形態】
以下、本発明に係るシート検知装置の第１実施形態を図１から図７に基づいて説明する。
【００２９】
図４に示すように、本実施形態のシート検知装置１０は定着ユニット３０内に実装されている。この定着ユニット３０は、図７に示すように、画像形成装置本体２００に対して着脱可能となっている。
【００３０】
図５に示すように、定着ユニット３０の内部には、所定の温度に加熱されるヒートローラ３４と、このヒートローラ３４との間でシート（用紙、ＯＨＰシートなど）を圧接する加圧ローラ３６とを備えている。ヒートローラ３４と加圧ローラ３６との圧接位置のシート搬送方向下流側には、ヒートローラ３４に対向して軸方向に複数の剥離爪４２が設けられており、ヒートローラ３４と加圧ローラ３６との間を通過したシートを剥離するようになっている。中央の剥離爪４２の近傍には、シート搬送路を搬送されるシートを検知するシート検知装置１０が設けられている。
【００３１】
このシート検知装置１０は、図１〜図３に示すように、シートと当接して回動可能なアクチュエータ１２と、このアクチュエータ１２の後方に、アクチュエータ１２の回動変位を検知する検知部１４とを備えている。
【００３２】
このアクチュエータ１２には、両側のフレーム２８に回転可能に支持される支軸２０が設けられており、この支軸２０の両端部側には、シートが当接する板状の第１の当接部１６の面取りされた側部がシート搬送路に突出するように取り付けられている。この第１の当接部１６の間には、支軸２０からシート搬送方向下流側へ張出すように平板状の第２の当接部１８が設けられており、シート搬送路を遮っている。また、第１の当接部１６は、第２の当接部１８と両脇の板材１９によって一体となっており、フレーム２８よりシート搬送路側にＬ字状に張り出した形状となっている。
【００３３】
支軸２０の一端側には、ねじりコイルバネ２２が巻き付けられており、このねじりコイルバネ２２の一方の端部は第１の当接部１６に取り付けられ、他方の端部はフレーム２８に取り付けられている。さらに、第２の当接部１８の後方には、両端部のフレーム２９に棒状のストッパ２４が横架されており、第２の当接部１８の後方に取り付けられた板材２６がストッパ２４に当接するようになっている。第１の当接部１６と第２の当接部１８とは、ねじりコイルバネ２２によって支軸２０を中心として図１中の前方に回動するように付勢され、板材２６がストッパ２４に当接することで、その回動が規制されるようになっている。このねじりコイルバネ２２の付勢力は、シートが第１の当接部１６又は第２の当接部１８に当接したときに、第１の当接部１６又は第２の当接部１８を後退する方向に回動させて、シートの搬送を妨害しないように設定されている。
【００３４】
また、検知部１４はフォトインタラプタ（透過型光センサー）であり、図３に示すように、１対の受発光素子からなる発光部５０と受光部５２とを備えている。この発光部５０と受光部５２とは定着ユニット３０本体に保持されており、これらの間に、第２の当接部１８の板材２６から延設された遮光板５４が挿介されている。この遮光板５４は、第２の当接部１８の待機位置（板材２６がストッパ２４に当接する位置）では、発光部５０と受光部５２との間を遮蔽するような形状に調整されており、第２の当接部１８にシートが当接して回動変位したときに、発光部５０と受光部５２の光路を開放するようになっている。そして、光路の開放／遮蔽によってＬＯＷ／ＨＩＧＨ信号を制御装置（図示せず）に送出するように設定されており、制御装置で光路の開放を検知することでシートの通過が検知される。なお、この遮光板５４は、光を反射することがないよう黒色に調色されている。
【００３５】
図５に示すように、定着ユニット３０内に配置されたヒートローラ３４は、表面に低摩擦係数の離型層（膜厚３０μｍのＰＦＡからなるチューブ）を設けた中空形状の芯金（肉厚０．５ｍｍ〜１．５ｍｍの鉄またはアルミ素管）からなり、内部にヒーター３８が配置されている。また、ヒートローラ３４の一端には、画像形成装置本体２００の駆動ギア（図示せず）と噛み合い、ヒートローラ３４に回転駆動力を伝達するヒートローラギア４０が設けられている。またヒートローラ３４の両端部には、ヒートローラ３４を回転自在に支持する軸受部材４４が取り付けられている。一方、加圧ローラ３６は、ステンレス又は鉄製の芯金に耐熱性の弾性体層（シリコーンスポンジ、アスカーＣ硬度４０°）を備え、さらに表層に低摩擦係数の離型層（膜厚３０μｍのＰＦＡからなるチューブ）が設けられている。
【００３６】
次に、本実施形態のシート検知装置１０の作用について説明する。
【００３７】
シートがヒートローラ３４と加圧ローラ３６との圧接位置を通過すると、シートの先端が剥離爪４２によってヒートローラ３４の表面から剥離される。図６（Ａ）に示すように、剥離されたシート４８の先端は、まずアクチュエータ１２の第１の当接部１６に当接する。第１の当接部１６は、フレーム２８のシート搬送路側に突出するように支軸２０の両端部側に形成されているので、シート４８の先端が支軸２０及びフレーム２８に衝突することがない。
【００３８】
シート４８の先端が第１の当接部１６に衝突することにより、第１の当接部１６は待機位置から支軸２０を回動中心として後退する方向に回動する。そして、第１の当接部１６は回動しながらシート４８の先端を逃がすように働き、シート４８の先端にダメージを与えることがない。
【００３９】
図６（Ｂ）に示すように、続けてシート４８の先端が第２の当接部１８に当接すると、第２の当接部１８が支軸２０を回動中心としてさらに後退する方向に回動し、遮光板５４が回動して発光部５０と受光部５２の光路を開放する。これにより、検知部１４でシートの通過が検知される。
【００４０】
このようなシート検知装置１０では、第２の当接部１８がシート４８の当接により回動するときに遮光板５４が光路を開放するように調整しているので、第１の当接部１６と第２の当接部１８とをそれぞれ設けても、シート４８の検知タイミングがシート間でばらつかず、ほぼ一定となる。このため、安定したシート４８の検知が可能となり、シートジャムを早期に検知することができるとともに、シートの搬送の制御精度を向上することができる。
【００４１】
次に、上記定着ユニット３０を適用した画像形成装置の一実施形態を図７に基づき説明する。
【００４２】
この画像形成装置は、画像形成装置本体２００に開閉カバー２０２を備えており、この開閉カバー２０２を開放して画像形成装置本体２００の中に定着ユニット３０が装填されるようになっている。画像形成装置本体２００に定着ユニット３０が装填された後は、開閉カバー２０２を閉じることで画像形成装置が作動可能な状態になる。
【００４３】
また、画像形成装置本体２００には、画像形成部を一体的にユニット化したプロセスカートリッジ２０４が設けられている。このプロセスカートリッジ２０４の内部には、一定方向に回転する感光体ドラム２１６が設けられている。この感光体ドラム２１６の周囲には、回転方向上流側から、感光体ドラムを帯電する帯電ローラ２１８と、感光体ドラム上に形成された静電潜像を現像する現像ローラ２２０と、感光体ドラム上の現像されたトナー像をシートに転写する転写ローラ２２２とが配設されている。さらに、感光体ドラム２１６の回転方向における転写ローラ２２２の下流側には、転写後の感光体ドラム表面を清掃するクリーニング部材２２４が設けられている。また、画像形成装置本体２００には、帯電ローラ２１８と現像ローラ２２０との間で、感光体ドラム２１６に像光を照射する露光装置２１４が設けられている。
【００４４】
また、画像形成装置本体２００の下部には、シートを収容する給紙カセット２０６，２０８が外部に引き出し可能に配設されており、この給紙カセット２０６，２０８のシートの取り出し位置には、シートを一枚ずつ取り出して搬送する給紙ローラ２０５，２０７が設けられている。さらに、給紙ローラ２０５，２０７から供給されるシートを感光体ドラム２１６と転写ローラ２２２との対向位置に搬送する搬送ローラ２１０，２１１，２１２，２１３が設けられている。シートの搬送方向における転写ローラ２２２の下流側には定着ユニット３０が装填されており、さらに定着ユニット３０の下流側には、定着後のシートを排出する排紙トレイ２３０が設けられている。そして、搬送ローラ２１０，２１１，２１２，２１３と、ヒートローラ３４と、加圧ローラ３６等によってシート搬送路が形成されている。
【００４５】
このような画像形成装置では、感光体ドラム２１６が帯電ローラ２１８により帯電され、露光装置２１４から像光が照射されることによって表面に静電潜像が形成される。この静電潜像は現像ローラ２２０によって現像され、感光体ドラム２１６上にトナー像が形成される。
【００４６】
一方、給紙カセット２０６から給紙ローラ２０５によりシートが供給され、搬送ローラ２１０，２１１，２１２，２１３によって感光体ドラム２１６と転写ローラ２２２との対向位置に搬送される。そして、感光体ドラム２１６上のトナー像が転写ローラ２２２によってシート上に転写され、さらに定着ユニット３０のヒートローラ３４と加圧ローラ３６との間で加熱・加圧されることによってトナー像が溶融してシート上に画像が定着される。その後、画像が形成されたシートは排紙トレイ２３０に排出される。
【００４７】
このような画像形成装置では、本実施形態のシート検知装置１０を備えた定着ユニット３０が装填されているので、シート搬送路を通過するシートの有無をより確実に検知することができる。このため、ヒートローラ３４へのシートの巻き付きジャムを速やかに検知して、定着ユニット３０のヒーター３８への通電を停止させることができる。このため、ジャムによるシート燃えや部品の破損などを防止できる。
【００４８】
なお、本実施形態の画像形成装置では、定着ユニット３０のシートが剥離搬送される位置にシート検知装置１０が設けられているが、必ずしもこのような構成に限るものではなく、画像形成装置本体２００のシート搬送路との対向位置にシート検知装置１０を適宜配設することができる。これにより、シート搬送路を通過するシートを確実に検知でき、ジャムを速やかに検知して画像形成装置の作動を停止させることができる。
【００４９】
次に、本発明に係るシート検知装置の第２実施形態を図８及び図９に基づいて説明する。
【００５０】
なお、第１実施形態で説明した部材には同一の符号を付し、重複する説明は省略する。
【００５１】
本実施形態では、図８及び図９に示すように、アクチュエータ６０の第１の当接部１６と第２の当接部６８とが分割されており、第１の当接部１６が支軸２０に取り付けられ、支軸２０に回転可能に軸支された支軸２１に第２の当接部６８が取り付けられている。支軸２０には第１の当接部１６を付勢するねじりコイルバネ２２が巻き付けられており、支軸２１には第２の当接部６８を付勢するねじりコイルバネ６２が巻き付けられている。このねじりコイルバネ６２は、一方の端部が第２の当接部６８に取り付けられ、他方の端部はフレーム２９に取り付けられている。この第２の当接部６８は、支軸２１を中心として図８中の前方に回動するように付勢され、板材２６がストッパ２４に当接することで、その回動が規制されるようになっている。なお、支軸２１には幅方向に図示しないスリットが形成されており、周方向から支軸２０に装着できるようになっている。
【００５２】
図９に示すように、第１の当接部１６の後方には板片６６が延設されており、この板片６６の上面がフレーム２８から延設された板状のストッパ６７に当接している。これにより、第１の当接部１６は、支軸２０を中心として図９中の前方に回動するように付勢され、板片６６がストッパ６７に当接することで、その回動が規制されるようになっている。
【００５３】
このようなシート検知装置では、シート搬送路を搬送されるシートの先端が第１の当接部１６に衝突し、第１の当接部１６は図８に示す待機位置から、支軸２０を回動中心として後退する方向に回動する。このとき、支軸２１は支軸２０と独立して回転するので、支軸２１に取り付けられた第２の当接部６８は回動しない。さらに、シートの先端が第２の当接部６８に当接すると、第１の当接部１６は回動せず、第２の当接部６８が支軸２１を回動中心として後退する方向に回動する。この第２の当接部６８の回動変位により、遮光板５４が発光部５０と受光部５２の光路を開放し、シートの通過が検知される。
【００５４】
このようなシート検知装置では、第１の当接部１６の回動変位とは独立して第２の当接部６８が回動変位するので、第１の当接部１６の回動変位によって誤ってシートが検知されることがなく、第２の当接部６８の回動変位によって安定したシートの検知が可能となる。このため、シートの検知タイミングのばらつきをより確実に回避でき、誤差のない検知が可能となる。
【００５５】
【発明の効果】
以上説明したように、本発明に係るシート検知装置、これを用いた定着装置及び画像形成装置によれば、アクチュエータを直にシート搬送路に臨ませても、アクチュエータの支軸にシートの先端が衝突してダメージを受けるのを防止することができるとともに、安定したシートの検知を行うことができる。したがって装置の小型化に寄与する。
【図面の簡単な説明】
【図１】本発明の第１実施形態に係るシート検知装置を示す斜視図である。
【図２】本発明の第１実施形態に係るシート検知装置を示す平面図である。
【図３】本発明の第１実施形態に係るシート検知装置の検知部を示す斜視図である。
【図４】本発明の第１実施形態に係るシート検知装置を用いた定着ユニットを示す斜視図である。
【図５】本発明の第１実施形態に係るシート検知装置を用いた定着ユニットの内部構造を示す斜視図である。
【図６】本発明の第１実施形態に係るシート検知装置の作用を説明する図である。
【図７】本発明の第１実施形態に係るシート検知装置を用いた画像形成装置を示す概略構成図である。
【図８】本発明の第２実施形態に係るシート検知装置を示す斜視図である。
【図９】本発明の第２実施形態に係るシート検知装置を示す部分斜視図である。
【図１０】従来のシート検知装置を示す斜視図である。
【図１１】従来のシート検知装置の作用を説明する図である。
【符号の説明】
１０      シート検知装置
１２      アクチュエータ
１４      検知部（検知手段）
１６      第１の当接部
１８      第２の当接部
２０      支軸
２１      支軸
２２      ねじりコイルバネ
３０      定着ユニット（定着装置）
３４      ヒートローラ（加熱ローラ）
３６      加圧ローラ
４８      シート
５４      遮光板（検知板）
６０      アクチュエータ
６２      ねじりコイルバネ
６８      第２の当接部
【図１】
2004345754.tif 000003
【図２】
2004345754.tif 000004
【図３】
2004345754.tif 000005
【図４】
2004345754.tif 000006
【図５】
2004345754.tif 000007
【図６】
2004345754.tif 000008
【図７】
2004345754.tif 000009
【図８】
2004345754.tif 000010
【図９】
2004345754.tif 000011
【図１０】
2004345754.tif 000012
【図１１】
2004345754.tif 000013